(57)【特許請求の範囲】
【請求項１】
本体と、
前記本体の上方に設けられ、前記本体の内部に配置された加熱源で加熱される調理容器を載置するトッププレートと、
を備えた加熱調理器であって、
前記本体の内部に設けられ、前記本体の前面に開口を有する収納室を備え、
前記収納室には、前記本体の前面側に引き出し可能な上下に重ねられる複数のトレイが収納され、
前記開口を開閉する前面扉を備え、
前記複数のトレイは、前記前面扉に取り付けられた少なくとも１つのトレイを有し、
前記前面扉を引き出すときに前記複数のトレイを同時に引き出させるように前記複数のトレイを連結する連結部が設けられ、
前記複数のトレイは、最下部に配置される最下部トレイと、前記最下部トレイよりも上方の上部トレイと、を有し、
前記収納室には、引き出した前記上部トレイを後方にスライドさせる上部トレイ保持部が設けられ、
前記収納室には、引き出した前記上部トレイを後方にスライドさせるスライド量を規制するスライド量規制部が設けられ、
前記連結部は、前記最下部トレイの側部に設けられ下方に下がった段部と、前記上部トレイに設けられ下方に突出して前記段部に引っ掛かる引掛け部と、を有し、
前記引掛け部は、前記段部よりも高位の側壁に乗り上がることで前記連結部が前記最下部トレイおよび前記上部トレイの連結を解除して前記上部トレイが後方にスライド可能になり、前記最下部トレイを後方にスライドさせて前記前面扉を閉じると前記引掛け部が前記側壁に乗り上がった状態から前記段部に落下して引っ掛かり前記連結部が前記最下部トレイおよび前記上部トレイを連結した状態に復帰する加熱調理器。
【請求項２】
前記上部トレイは、後部を前記最下部トレイの位置まで下方に下げた低位底面部を有し、
前記最下部トレイは、前記トッププレートに載置する前記調理容器を収納する請求項１に記載の加熱調理器。
【請求項３】
本体と、
前記本体の上方に設けられ、前記本体の内部に配置された加熱源で加熱される調理容器を載置するトッププレートと、
を備えた加熱調理器であって、
前記本体の内部に設けられ、前記本体の前面に開口を有する収納室を備え、
前記収納室には、前記本体の前面側に引き出し可能な上下に重ねられる複数のトレイが収納され、
前記開口を開閉する前面扉を備え、
前記複数のトレイは、前記前面扉に取り付けられると共に最下部に配置される最下部トレイと、前記最下部トレイよりも上方の上部トレイと、を有し、
前記前面扉を引き出すときに前記上部トレイを前記収納室に残留させる上部トレイ残留部が設けられた加熱調理器。
【請求項４】
前記上部トレイ残留部は、前記収納室に設けられ、前記上部トレイを吸着するマグネットである請求項３に記載の加熱調理器。
【請求項５】
前記上部トレイ残留部は、前記収納室に設けられた孔部と、前記上部トレイに設けられ前記孔部に嵌まる凸部と、を有する請求項３に記載の加熱調理器。
【請求項６】
前記加熱調理器は、キッチンに組み込まれるビルトイン型であり、
前記前面扉を含む前記本体の前面は、前記キッチンの前面と同一のデザインである請求項１〜５のいずれか１項に記載の加熱調理器。
【発明の詳細な説明】
【技術分野】
【０００１】
本発明は、本体の内部のスペースを有効利用した加熱調理器に関する。
【背景技術】
【０００２】
従来、特許文献１に開示されたグリル庫を備えた加熱調理器が知られている。特許文献１の加熱調理器では、本体の内部左側にグリル庫が配置されている。グリル庫は、前面に設けられた扉を開けてグリル庫内に魚などの被加熱物を投入し、扉を閉めて加熱調理に用いられる。
【０００３】
また、特許文献２に開示されたグリル庫を備えた加熱調理器が知られている。特許文献２の加熱調理器では、キッチンに組み込まれて使用される加熱調理器の本体の内部にグリル庫を備え、グリル庫の左右の両側に収納室を備えている。収納室には、食材、調味料、または調理容器などを収納することができる。収納室は、加熱調理器の加熱調理によってキッチンの内部空間が高温にならないように、キッチンの外部の空気を取り入れる前面がカバーで覆われた空気取込口から空気が取り込まれるようになっている。
【先行技術文献】
【特許文献】
【０００４】
【特許文献１】特開２００６−２１０１４６号公報
【特許文献２】特開２０１５−１５５７７８号公報
【発明の概要】
【発明が解決しようとする課題】
【０００５】
特許文献１、２の加熱調理器では、グリル庫を備えることが前提であり、加熱調理器の全体の部品点数が増加してコストが高くなる。
また、グリル庫は、加熱調理器の本体に内蔵されるため、グリル庫内の全体を清掃することが容易ではない。
さらに、グリル庫内で魚を焼いた後に、グリル庫内に魚の臭いおよび汚れが残存するため、たとえばケーキを焼くなどの他の調理を行うことを避ける傾向があった。そのため、現状、グリル庫が有効利用されていない。
【０００６】
そこで、有効利用されていないグリル庫をなくし、加熱調理器の全体の部品点数を削減してコストを低下させ、グリル庫を清掃する手間をなくすことが考えられる。
しかしながら、単にグリル庫をなくしただけでは加熱調理器の本体の内部にスペースが生じ、スペースが有効利用されない。
【０００７】
本発明は、上記課題を解決するためのものであり、本体の内部のスペースを有効利用する加熱調理器を得ることを目的とする。
【課題を解決するための手段】
【０００８】
本発明の加熱調理器は、本体と、前記本体の上方に設けられ、前記本体の内部に配置された加熱源で加熱される調理容器を載置するトッププレートと、を備えた加熱調理器であって、前記本体の内部に設けられ、前記本体の前面に開口を有する収納室を備え、前記収納室には、前記本体の前面側に引き出し可能な上下に重ねられる複数のトレイが収納され、前記開口を開閉する前面扉を備え、前記複数のトレイは、前記前面扉に取り付けられた少なくとも１つのトレイを有し、前記前面扉を引き出すときに前記複数のトレイを同時に引き出させるように前記複数のトレイを連結する連結部が設けられ、前記複数のトレイは、最下部に配置される最下部トレイと、前記最下部トレイよりも上方の上部トレイと、を有し、前記収納室には、引き出した前記上部トレイを後方にスライドさせる上部トレイ保持部が設けられ、前記収納室には、引き出した前記上部トレイを後方にスライドさせるスライド量を規制するスライド量規制部が設けられ、前記連結部は、前記最下部トレイの側部に設けられ下方に下がった段部と、前記上部トレイに設けられ下方に突出して前記段部に引っ掛かる引掛け部と、を有し、前記引掛け部は、前記段部よりも高位の側壁に乗り上がることで前記連結部が前記最下部トレイおよび前記上部トレイの連結を解除して前記上部トレイが後方にスライド可能になり、前記最下部トレイを後方にスライドさせて前記前面扉を閉じると前記引掛け部が前記側壁に乗り上がった状態から前記段部に落下して引っ掛かり前記連結部が前記最下部トレイおよび前記上部トレイを連結した状態に復帰するものである。
【発明の効果】
【０００９】
本発明に係る加熱調理器によれば、本体の内部に設けられ、本体の前面に開口した収納室を備え、収納室には、本体の前面側に引き出し可能な上下に重ねられる複数のトレイが収納される。これにより、本体の内部のスペースを有効利用することができる。
【図面の簡単な説明】
【００１０】
【図１】本発明の実施の形態１に係る加熱調理器を示す斜視図である。
【図２】本発明の実施の形態１に係る加熱調理器を組み込む前のキッチンを示す斜視図である。
【図３】本発明の実施の形態１に係る加熱調理器をキッチンに組み込む様子を示す斜視図である。
【図４】本発明の実施の形態１に係る加熱調理器を組み込んだ状態のキッチンを示す斜視図である。
【図５】本発明の実施の形態１に係る加熱調理器の収納室の下段トレイを引き出した状態を示す斜視図である。
【図６】本発明の実施の形態１に係る加熱調理器の収納室の概略構成を示す部分透視斜視図である。
【図７】本発明の実施の形態１に係る加熱調理器の収納室の断面を示す説明図である。
【図８】本発明の実施の形態１に係る加熱調理器の収納室の一部を示す斜視図である。
【図９】本発明の実施の形態１に係る加熱調理器の収納室の図８の矢視Ａからの一部を示す拡大図である。
【図１０】本発明の実施の形態１に係る加熱調理器の収納室において上段トレイを後方にスライドさせた状態を示す部分透視斜視図である。
【図１１】本発明の実施の形態１に係る加熱調理器の収納室において上段トレイを後方にスライドさせた状態の断面を示す説明図である。
【図１２】本発明の実施の形態１に係る加熱調理器の収納室の一部の断面を示す説明図である。
【図１３】本発明の実施の形態２に係る加熱調理器の収納室の概略構成を示す部分透視斜視図である。
【図１４】本発明の実施の形態２に係る加熱調理器の収納室の一部の断面を示す説明図である。
【図１５】本発明の実施の形態３に係る加熱調理器の収納室の一部の断面を示す説明図である。
【図１６】本発明の実施の形態３に係る加熱調理器の収納室の一部を下方から見て示す斜視図である。
【発明を実施するための形態】
【００１１】
以下に、本発明に係る加熱調理器の実施の形態について説明する。なお、図面の形態は一例であり、本発明を限定するものではない。また、各図において同一の符号を付したものは、同一のまたはこれに相当するものであり、これは明細書の全文において共通している。さらに、以下の図面では各構成部材の大きさの関係が実際のものとは異なる場合がある。
【００１２】
実施の形態１．
図１は、本発明の実施の形態１に係る加熱調理器１００を示す斜視図である。
図１に示すように、加熱調理器１００は、調理に利用される誘導加熱コイルが収容された本体１と、本体の上部の上枠２と、を備えている。上枠２は、本体１に組み付けられている。上枠２の上面の開口には、本体１の上方に設けられて鍋などの調理容器が載置されるトッププレート３が嵌め込まれている。
【００１３】
トッププレート３は、耐熱性ガラスあるいはセラミックなどの非金属材料で構成されている。トッププレート３には、鍋などの調理容器が載置される図示しない複数の加熱口が配置されている。トッププレート３の表面あるいは裏面には、複数の加熱口のそれぞれに調理容器を載置する際の目印となる表示が施されている。
【００１４】
加熱調理器１００の天面であってトッププレート３の手前側の上枠２には、使用者からの加熱調理に関する操作入力を受け付けると共に、使用者に加熱調理に関する情報を表示する操作表示部４が設けられている。操作表示部４は、ボタンを押すタイプの操作部を有している。
なお、操作表示部４は、加熱調理器１００の天面であってトッププレート３の範囲内に静電容量を検知して操作する静電スイッチタイプの操作基板を内蔵して設けられてもよい。
【００１５】
トッププレート３の背面側の上枠２には、キッチン２００の開口部２０２に加熱調理器１００を引っ掛ける平面部５が形成されている。
【００１６】
本体１と上枠２とが組み合わされて形成される内部空間には、種々の部品が収容される。
たとえば、本体１の内部かつトッププレート３の下方には、調理容器を誘導加熱する誘導加熱コイルが配置されている。誘導加熱コイルは、トッププレート３の表面あるいは裏面に施された調理容器を載置する位置を定めた円環状の表示ラインの直下に配置されている。誘導加熱コイルは、トッププレート３の前部に左右並列に２つ設けられる。誘導加熱コイルは、巻線が環状に巻き回されて構成され、トッププレート３に載置された調理容器を誘導加熱により加熱する。
誘導加熱コイルが本発明の加熱源に相当する。
【００１７】
誘導加熱コイルは、フェライトおよび防磁リングなどと共に概ね円形状のコイルベースに収容され、コイルベースを介して複数のコイル支持部材によって底板の下面に固定されている。誘導加熱コイルの下方には、空間が形成され、冷却風の流れが阻害されないようにして冷却効果が高められている。
また、誘導加熱コイルの他に、ラジエントヒーターが設けられていてもよい。
【００１８】
本体１の内部の右側中央には、誘導加熱コイルに高周波電力を供給するインバータ回路およびインバータ回路に接続された制御回路を搭載した制御基板が配置されている。制御基板は、誘導加熱コイルの下方に空間を隔てて配置されている。
インバータ回路は、ＩＧＢＴ、ダイオードブリッジ、およびチョークコイルなどを含んで構成されている。インバータ回路は、制御回路の指令によって高周波電力の出力量を調整できる。
制御回路は、操作表示部４と接続され、相互に指令をやり取りする。
【００１９】
制御基板の後方に、本体１の内部および制御基板を冷却する送風ファンを備えている。送風ファンは、遠心式のファンである。送風ファンは、スクロールケーシングに収容されている。また、送風ファンは、電動機によって回転駆動される。送風ファンは、下方から吸気が供給され、本体１の前方に向けて側部から冷却風を送り出す。
【００２０】
図２は、本発明の実施の形態１に係る加熱調理器１００を組み込む前のキッチン２００を示す斜視図である。図３は、本発明の実施の形態１に係る加熱調理器１００をキッチン２００に組み込む様子を示す斜視図である。図４は、本発明の実施の形態１に係る加熱調理器１００を組み込んだ状態のキッチン２００を示す斜視図である。
【００２１】
実施の形態１の加熱調理器１００は、図２に示すようなシンク２０１までのワークトップが繋がったシステムキッチンなどのキッチン２００に形成された据え付け用の開口部２０２に組み込まれて使用される、いわゆるビルトイン型のものである。
図３に示すように、加熱調理器１００は、キッチン２００の開口部２０２に前側を下方に下げ、カウンタートップ２０３に前方凹部１ａを組み合わせるようにして組み込まれる。
図４に示すように、加熱調理器１００は、キッチン２００に組み込まれた状態では、キッチン２００から天面および前面が露出する。
【００２２】
詳細には、加熱調理器１００がキッチン２００に組み込まれると、キッチン２００から露出する天面には、上枠２およびトッププレート３の両方が露出する。
また、加熱調理器１００がキッチン２００に組み込まれると、キッチン２００から露出する前面には、前面扉２４を含む本体１の前面１ｂが露出する。前面扉２４を含む本体１の前面１ｂは、キッチン２００から露出する前面の全範囲を占めている。
前面扉２４を含む本体１の前面１ｂは、キッチン２００の前面２０４と同一の面材を用い、キッチン２００の前面２０４と同一のデザインであり、統一感を持たせている。
【００２３】
図５は、本発明の実施の形態１に係る加熱調理器１００の収納室１０の下段トレイ２０を引き出した状態を示す斜視図である。図６は、本発明の実施の形態１に係る加熱調理器１００の収納室１０の概略構成を示す部分透視斜視図である。図７は、本発明の実施の形態１に係る加熱調理器１００の収納室１０の断面を示す説明図である。図８は、本発明の実施の形態１に係る加熱調理器１００の収納室１０の一部を示す斜視図である。図９は、本発明の実施の形態１に係る加熱調理器１００の収納室１０の図８の矢視Ａからの一部を示す拡大図である。図１０は、本発明の実施の形態１に係る加熱調理器１００の収納室１０において上段トレイ３０を後方にスライドさせた状態を示す部分透視斜視図である。図１１は、本発明の実施の形態１に係る加熱調理器１００の収納室１０において上段トレイ３０を後方にスライドさせた状態の断面を示す説明図である。図１２は、本発明の実施の形態１に係る加熱調理器１００の収納室１０の一部の断面を示す説明図である。
【００２４】
図５、図６に示すように、加熱調理器１００は、本体１の内部に設けられ、本体１の前面１ｂに開口を有する収納室１０を備えている。収納室１０には、本体１の前面側に引き出し可能な上下に重ねられる下段トレイ２０および上段トレイ３０が収納されている。
収納室１０は、従来のグリル庫を形成していた範囲を用いて形成することができる。よって、収納室１０には、トッププレート３上に載置する、たとえば魚などのグリル調理用の大きな調理容器を収納することができる。
【００２５】
ここで、下段トレイ２０が本発明の最下部トレイに相当する。上段トレイ３０が本発明の上部トレイに相当する。
また、実施の形態１は、下段トレイ２０および上段トレイ３０からなる上下に重ねられる２段の複数のトレイを有する例である。しかし本発明は、たとえばさらに中段トレイを有し、上下に重ねられる３段以上の複数のトレイを有してもよい。
【００２６】
図６、図７、図１０、図１１に示すように、下段トレイ２０は、前面扉２４に取り付けられると共に収納室１０の最下部に配置されている。下段トレイ２０は、トッププレート３に載置する調理容器を収納する底面部２１を有している。下段トレイ２０の底面部２１には、調理容器４０を固定する凹部２１ａが形成されている。調理容器４０の底面部が凹部２１ａの範囲に合致することで、調理容器４０が下段トレイ２０に保持される。
下段トレイ２０は、収納室１０の上部に至る高さの側壁２２を有している。下段トレイ２０の側壁２２の外側には、収納室１０の内壁に設けられたレールガイド１１にガイドされるレール２３が設けられている。下段トレイ２０の側壁２２の上端には、左右の外側に延びるフランジ２２ａが設けられている。
下段トレイ２０の前方には、下段トレイ２０が取り付けられると共に収納室１０の開口を開閉する前面扉２４が設けられている。
下段トレイ２０の後方には、開口部２５が形成され、下段トレイ２０を前方に引き出しても上段トレイ３０を、この開口部２５より後方にスライド可能になっている。
【００２７】
図６、図７、図１０、図１１に示すように、上段トレイ３０は、下段トレイ２０よりも上方に配置されている。上段トレイ３０は、下段トレイ２０の底面部２１の範囲を覆っている。
上段トレイ３０は、高位底面部３１と、高位底面部３１から下方に下がった低位底面部３２と、を有している。高位底面部３１は、上段トレイ３０の前部に位置し、下方の下段トレイ２０に調理容器４０を搭載した高さよりも高位の位置に設けられる。低位底面部３２は、たとえば、おたま、網杓子などの先端部が柄に対して屈曲して大きくなった調理道具５０の先の部分を収納可能にする空間を形成するため、後部を下段トレイ２０の位置まで下方に下げている。高位底面部３１と低位底面部３２との間は、急勾配な立壁３３で繋がれている。高位底面部３１は、低位底面部３２よりも広く、たとえば、菜箸、木べら、しゃもじなどの調理道具も収納可能である。
上段トレイ３０は、収納室１０の上部に至る高さの側壁３４を有している。上段トレイ３０の側壁３４の上端には、左右の外側に延びるフランジ３４ａが設けられている。上段トレイ３０の側壁３４のフランジ３４ａは、下段トレイ２０の側壁２２のフランジ２２ａの上側に重なる。
上段トレイ３０は、側壁３４と同じ収納室１０の上部までの高さの後壁３５を有している。上段トレイ３０の後壁３５の上端には、外側である後方に延びるフランジ３５ａが設けられている。
上段トレイ３０は、側壁３４と同じ収納室１０の上部までの高さの前壁３６を有している。前壁３６は、中央部の所定幅の領域を後方に後退させた後退面部３６ａを有している。後退面部３６ａは、上段トレイ３０が下段トレイ２０に重なった状態で、前面扉２４との間に使用者が指を差し込み可能な隙間を形成する。隙間は、使用者が指を差し込むことで、上段トレイ３０のみを後方にスライド可能である。
【００２８】
図８、図９に示すように、前面扉２４を引き出すときに下段トレイ２０および上段トレイ３０を同時に引き出させるように下段トレイ２０および上段トレイ３０を連結する連結部６０が設けられている。
図８の矢視Ａの図９に示すように、連結部６０は、下段トレイ２０の側部に設けられ下方に下がった段部６１と、上段トレイ３０の側壁３４のフランジ３４ａに設けられ下方に突出して段部６１に引っ掛かる引掛け部６２と、を有している。段部６１は、下段トレイ２０の側部である側壁２２の前部に、フランジを設けずにフランジ２２ａの厚み分だけ高さを下げて形成されている。引掛け部６２は、上段トレイ３０の側壁３４のフランジ３４ａの下面に下方に突出して設けられている。引掛け部６２は、前側を傾斜面６２ａに形成されている。前面扉２４を引き出すときには、下段トレイ２０および上段トレイ３０を同時に引き出させるように、引掛け部６２が段部６１に引っ掛かっている。
【００２９】
引掛け部６２は、段部６１よりも高位の側壁２２に乗り上がることで連結部６０が下段トレイ２０および上段トレイ３０の連結を解除して上段トレイ３０が後方にスライド可能になる。
また、引掛け部６２は、上段トレイ３０が既に後方にスライドさせた状態で下段トレイ２０を後方にスライドさせて前面扉２４を閉じると、引掛け部６２が側壁２２に乗り上がった状態から段部６１に落下して引っ掛かり、連結部６０が下段トレイ２０および上段トレイ３０を連結した状態に復帰する。引掛け部６２は、前側を傾斜面６２ａに形成されていることで、引掛け部６２が下段トレイ２０の側壁２２に乗り上がった状態で下段トレイ２０を後方にスライドさせると、引掛け部６２がフランジ２２ａの曲がり箇所にぶつかってもその箇所に乗り上がり易く、下段トレイ２０のスライドが停止されることはない。
【００３０】
なお、連結部６０は、段部６１と引掛け部６２とを有する構成に限定されない。連結部は、たとえば、凹部と凹部に嵌まる凸部とを有する構成などでもよい。これにより、連結部は、前面扉を引き出すときに複数のトレイを同時に引き出させるように複数のトレイを連結するものであればよい。また、連結部は、下段トレイを後方にスライドさせて前面扉を閉じると複数のトレイを連結した状態に復帰するものであればよい。連結部は、複数のトレイを連結する際には、上下に重なる２段ずつを連結する数だけ設けられる。
【００３１】
上記のように、引掛け部６２は、段部６１よりも高位の側壁２２に乗り上がることで連結部６０が下段トレイ２０および上段トレイ３０の連結を解除して上段トレイ３０が後方にスライド可能になる。
図１０、図１１に示すように、連結部６０の連結を解除すると、上段トレイ３０が後方にスライドして収納室１０内に収納される。
ここで、図６、図７、図１０、図１１に示すように、収納室１０には、引き出した上段トレイ３０を後方にスライドさせる上段トレイ保持部１２が設けられている。上段トレイ保持部１２は、収納室１０の内側壁に水平方向に延びて設けられる。上段トレイ保持部１２は、引き出した上段トレイ３０を後方にスライドさせたときに、上段トレイ３０の後部の側壁３４のフランジ３４ａを載せる。つまり、引き出した上段トレイ３０は、上段トレイ３０の前部の側壁３４のフランジ３４ａを下段トレイ２０の側壁２２のフランジ２２ａに載せると共に上段トレイ３０の後部の側壁３４のフランジ３４ａを上段トレイ保持部１２に載せる。これにより、上段トレイ３０は、後方にスライドさせるときに後端から収納室１０内に落下することが防止される。
上段トレイ保持部１２が本発明の上部トレイ保持部に相当する。
【００３２】
図１２に示すように、収納室１０には、引き出した上段トレイ３０を後方にスライドさせるスライド量を規制するスライド量規制部１３が設けられている。スライド量規制部１３は、収納室１０内の上面に設けられ、下方に突出した板状部材である。スライド量規制部１３は、上段トレイ３０の後壁３５のフランジ３５ａの後端部に突き当たる。スライド量規制部１３は、上段トレイ３０が後方にそれ以上スライドすることを防止する。これにより、上段トレイ３０が収納室１０の奥に入り込み過ぎないようにしている。
【００３３】
実施の形態１では、本体１の内部に設けられ、本体１の前面１ｂに開口した収納室１０を備え、収納室１０には、本体１の前面側に引き出し可能な上下に重ねられる下段トレイ２０および上段トレイ３０が収納されている。これにより、本体１の内部のスペースを有効利用することができる。
また、前面扉２４が引き出されると、下段トレイ２０に連結して上段トレイ３０も引き出される。このため、使用頻度が高い調理道具５０を上段トレイ３０に収納することで、収納室１０が利用し易くなる。一方、使用頻度が低い調理容器４０を下段トレイ２０に収納することで、下段トレイ２０も有効利用することができる。加えて、引き出された上段トレイ３０に調理物などをこぼした場合でも、上段トレイ３０が蓋体の役割を果たし、下段トレイ２０に調理物などが侵入しない。
さらに、下段トレイ２０は、上段トレイ３０よりも下方に位置するため、本体１の内部の誘導加熱コイルおよび制御基板などの発熱源から離れる。そのため、下段トレイ２０内は温度が上昇し難く、下段トレイ２０は高温に耐性の弱い物品を収納することに適している。
【００３４】
実施の形態２．
図１３は、本発明の実施の形態２に係る加熱調理器１００の収納室１０の概略構成を示す部分透視斜視図である。図１４は、本発明の実施の形態２に係る加熱調理器１００の収納室１０の一部の断面を示す説明図である。実施の形態２では、上記実施の形態と異なる特徴部分を中心に説明する。
【００３５】
図１３、１４に示すように、前面扉２４を引き出すときに上段トレイ３０を収納室１０に残留させる上段トレイ残留部１４が設けられている。上段トレイ残留部１４は、収納室１０のスライド量規制部１３に設けられ、上段トレイ３０を吸着するマグネットである。
上段トレイ残留部１４が本発明の上部トレイ残留部に相当する。なお、上部トレイ残留部は、マグネットに限定されない。上部トレイ残留部は、たとえば、凹部と凹部に嵌まる凸部とを有する構成などでもよい。
実施の形態２では、収納室１０は、実施の形態１で示す連結部６０を有しない。
実施の形態２では、前面扉２４が引き出されると、下段トレイ２０のみが引き出される。上段トレイ３０は、使用者が上段トレイ３０の前壁３６に指を掛けて引き出さないと、マグネットの吸着力に抗うことができず、引き出すことができない。
【００３６】
実施の形態２では、前面扉２４を引き出すときに上段トレイ３０を収納室１０に残留させる上段トレイ残留部１４が設けられていることから、前面扉２４を引き出すと下段トレイ２０のみが引き出される。そのため、使用頻度が高い調理容器４０を下段トレイ２０に収納することで、下段トレイ２０を有効利用することができる。また、使用頻度が低い調理道具５０を上段トレイ３０に収納することで、上段トレイ３０も有効利用することができる。
【００３７】
実施の形態３．
図１５は、本発明の実施の形態３に係る加熱調理器１００の収納室１０の一部の断面を示す説明図である。図１６は、本発明の実施の形態３に係る加熱調理器１００の収納室１０の一部を下方から見て示す斜視図である。実施の形態３では、上記実施の形態と異なる特徴部分を中心に説明する。
【００３８】
図１５、１６に示すように、前面扉２４を引き出すときに上段トレイ３０を収納室１０に残留させる上段トレイ残留部１４が設けられている。上段トレイ残留部１４は、収納室１０のスライド量規制部１３に設けられた水平板部１３ａに形成された孔部１４ａと、上段トレイ３０に設けられ孔部１４ａに嵌まる凸部１４ｂと、を有している。孔部１４ａは、水平板部１３ａに貫通した孔として形成される。なお、水平板部１３ａは、前部を下方に傾けて上段トレイ３０の後壁３５のフランジ３５ａが上側に進入し易いようにガイドする。凸部１４ｂは、後壁３５のフランジ３５ａの下面に下方に突出した球面状であり、孔部１４ａから着脱が容易である。
上段トレイ残留部１４が本発明の上部トレイ残留部に相当する。
実施の形態３では、収納室１０は、実施の形態１で示す連結部６０を有しない。
実施の形態３では、前面扉２４が引き出されると、下段トレイ２０のみが引き出される。上段トレイ３０は、使用者が上段トレイ３０の前壁３６に指を掛けて引き出さないと、孔部１４ａに凸部１４ｂが嵌まった状態であり、引き出すことができない。
【００３９】
実施の形態３では、前面扉２４を引き出すときに上段トレイ３０を収納室１０に残留させる上段トレイ残留部１４が設けられていることから、前面扉２４を引き出すと下段トレイ２０のみが引き出される。そのため、使用頻度が高い調理容器４０を下段トレイ２０に収納することで、下段トレイ２０を有効利用することができる。また、使用頻度が低い調理道具５０を上段トレイ３０に収納することで、上段トレイ３０も有効利用することができる。
【００４０】
以上の実施の形態１〜３によれば、加熱調理器１００は、本体１を備えている。加熱調理器１００は、本体１の上方に設けられ、本体１の内部に配置された誘導加熱コイルで誘導加熱される調理容器４０を載置するトッププレート３を備えている。加熱調理器１００は、本体１の内部に設けられ、本体１の前面１ｂに開口を有する収納室１０を備えている。収納室１０には、本体１の前面側に引き出し可能な上下に重ねられる下段トレイ２０および上段トレイ３０が収納されている。
この構成によれば、本体１の内部のスペースを有効利用することができる。
【００４１】
加熱調理器１００は、収納室１０の開口を開閉する前面扉２４を備えている。下段トレイ２０は、前面扉２４に取り付けられている。前面扉２４を引き出すときに下段トレイ２０および上段トレイ３０を同時に引き出させるように下段トレイ２０および上段トレイ３０を連結する連結部６０が設けられている。
この構成によれば、前面扉２４を引き出すときに下段トレイ２０および上段トレイ３０が同時に引き出せる。このため、使用頻度が高い調理道具５０を上段トレイ３０に収納することで、収納室１０が利用し易くなる。一方、使用頻度が低い調理容器４０を下段トレイ２０に収納することで、下段トレイ２０も有効利用することができる。加えて、引き出された上段トレイ３０に調理物などをこぼした場合でも、上段トレイ３０が蓋体の役割を果たし、下段トレイ２０に調理物などが侵入しない。
【００４２】
複数のトレイとしては、最下部に配置される下段トレイ２０と、下段トレイ２０よりも上方の上段トレイ３０と、を有している。収納室１０には、引き出した上段トレイ３０を後方にスライドさせる上段トレイ保持部１２が設けられている。収納室１０には、引き出した上段トレイ３０を後方にスライドさせるスライド量を規制するスライド量規制部１３が設けられている。
この構成によれば、上段トレイ３０は、後方にスライドさせるときに上段トレイ保持部１２に保持され、後端から収納室１０内に落下することが防止される。また、上段トレイ３０がスライド量規制部１３によってスライド量が規制されることで、上段トレイ３０が収納室１０の奥に入り込み過ぎない。
【００４３】
上段トレイ３０は、後部を下段トレイ２０の位置まで下方に下げた低位底面部３２を有している。下段トレイ２０は、トッププレート３に載置する調理容器４０を収納する。
この構成によれば、使用頻度が高い調理道具５０を上段トレイ３０に収納することで、収納室１０が利用し易くなる。一方、使用頻度が低い調理容器４０を下段トレイ２０に収納することで、下段トレイ２０も有効利用することができる。
【００４４】
連結部６０は、上段トレイ３０を既に後方にスライドさせた状態で下段トレイ２０を後方にスライドさせて前面扉２４を閉じると下段トレイ２０および上段トレイ３０を連結した状態に復帰する。
この構成によれば、前面扉２４が閉じられると、下段トレイ２０および上段トレイ３０が連結された状態に復帰する。このため、再度、前面扉２４を引き出すときに下段トレイ２０および上段トレイ３０が同時に引き出せる。
【００４５】
連結部６０は、下段トレイ２０の側部に設けられ下方に下がった段部６１と、上段トレイ３０に設けられ下方に突出して段部６１に引っ掛かる引掛け部６２と、を有している。引掛け部６２は、段部６１よりも高位の側壁２２に乗り上がることで連結部６０が下段トレイ２０および上段トレイ３０の連結を解除して上段トレイ３０が後方にスライド可能になる。引掛け部６２は、下段トレイ２０を後方にスライドさせて前面扉２４を閉じると引掛け部６２が側壁２２に乗り上がった状態から段部６１に落下して引っ掛かり、連結部６０が下段トレイ２０および上段トレイ３０を連結した状態に復帰する。
この構成によれば、前面扉２４が閉じられると、下段トレイ２０および上段トレイ３０が連結された状態に復帰する。このため、再度、前面扉２４を引き出すときに下段トレイ２０および上段トレイ３０が同時に引き出せる。
【００４６】
加熱調理器１００は、収納室１０の開口を開閉する前面扉２４を備えている。下段トレイ２０および上段トレイ３０は、前面扉２４に取り付けられると共に最下部に配置される下段トレイ２０と、下段トレイ２０よりも上方の上段トレイ３０と、を有している。前面扉２４を引き出すときに上段トレイ３０を収納室１０に残留させる上段トレイ残留部１４が設けられている。
この構成によれば、前面扉２４を引き出すと、上段トレイ残留部１４が上段トレイ３０を収納室１０に残留させるため、下段トレイ２０のみが引き出される。そのため、使用頻度が高い調理容器４０を下段トレイ２０に収納することで、下段トレイ２０を有効利用することができる。また、使用頻度が低い調理道具５０を上段トレイ３０に収納することで、上段トレイ３０も有効利用することができる。
【００４７】
上段トレイ残留部１４は、収納室１０に設けられ、上段トレイ３０を吸着するマグネットである。
この構成によれば、前面扉２４を引き出すと下段トレイ２０のみが引き出される。
【００４８】
上段トレイ残留部１４は、収納室１０に設けられた孔部１４ａと、上段トレイ３０に設けられ孔部１４ａに嵌まる凸部１４ｂと、を有している。
この構成によれば、前面扉２４を引き出すと下段トレイ２０のみが引き出される。
【００４９】
加熱調理器１００は、キッチン２００に組み込まれるビルトイン型である。前面扉２４を含む本体１の前面１ｂは、キッチン２００の前面２０４と同一のデザインである。
この構成によれば、加熱調理器１００を組み込んだキッチン２００が全体的に統一したデザインに整えられる。
【００５０】
なお、上記の実施の形態の構成を適宜組み合わせることも当初から予定している。また、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００５１】
１  本体、１ａ  前方凹部、１ｂ  前面、２  上枠、３  トッププレート、４  操作表示部、５  平面部、１０  収納室、１１  レールガイド、１２  上段トレイ保持部、１３  スライド量規制部、１３ａ  水平板部、１４  上段トレイ残留部、１４ａ  孔部、１４ｂ  凸部、２０  下段トレイ、２１  底面部、２１ａ  凹部、２２  側壁、２２ａ  フランジ、２３  レール、２４  前面扉、２５  開口部、３０  上段トレイ、３１  高位底面部、３２  低位底面部、３３  立壁、３４  側壁、３４ａ  フランジ、３５  後壁、３５ａ  フランジ、３６  前壁、３６ａ  後退面部、４０  調理容器、５０  調理道具、６０  連結部、６１  段部、６２  引掛け部、６２ａ  傾斜面、１００  加熱調理器、２００  キッチン、２０１  シンク、２０２  開口部、２０３  カウンタートップ、２０４  前面。
【図１】
0006552440.tif 000002
【図２】
0006552440.tif 000003
【図３】
0006552440.tif 000004
【図４】
0006552440.tif 000005
【図５】
0006552440.tif 000006
【図６】
0006552440.tif 000007
【図７】
0006552440.tif 000008
【図８】
0006552440.tif 000009
【図９】
0006552440.tif 000010
【図１０】
0006552440.tif 000011
【図１１】
0006552440.tif 000012
【図１２】
0006552440.tif 000013
【図１３】
0006552440.tif 000014
【図１４】
0006552440.tif 000015
【図１５】
0006552440.tif 000016
【図１６】
0006552440.tif 000017